(57)【要約】【課題】ＰＤＰ画面の外光反射による明室コントラストの低下を抑制する。【解決手段】一方の基板と、画面を立てて目視した状態において水平方向に延伸する隔壁が設けられた他方の基板とが対向して配置され、基板周辺が封着されることによって基板間に放電空間が形成されたＰＤＰにおいて、隔壁を、その隔壁の延伸方向と直交する断面が、所定幅の頂部とその頂部よりも幅広の裾部を有する台形形状をなし、その台形形状の裾部から頂部に向けての壁面の傾斜が、画面を立てて目視した状態において下側に位置する壁面の傾斜よりも上側に位置する壁面の傾斜のほうが急勾配になるように形成する。【選択図】図３
2010027562.tif 000002
【特許請求の範囲】
【請求項１】
一方の基板と、画面を立てて目視した状態において水平方向に延伸する隔壁が設けられた他方の基板とが対向して配置され、基板周辺が封着されることによって基板間に放電空間が形成されたプラズマディスプレイパネルであって、
前記隔壁は、その隔壁の延伸方向と直交する断面が、所定幅の頂部とその頂部よりも幅広の裾部を有する台形形状をなし、その台形形状の裾部から頂部に向けての壁面の傾斜が、画面を立てて目視した状態において下側に位置する壁面の傾斜よりも上側に位置する壁面の傾斜のほうが急勾配に形成されてなるプラズマディスプレイパネル。
【請求項２】
前記隔壁の下側に位置する壁面の傾斜の角度と上側に位置する壁面の傾斜の角度との差が、１０〜２０度である請求項１記載のプラズマディスプレイパネル。
【請求項３】
前記隔壁の下側に位置する壁面はその傾斜の角度が５０〜６０度であり、上側に位置する壁面はその傾斜の角度が７０〜８０度である請求項１又は２記載のプラズマディスプレイパネル。
【発明の詳細な説明】
【技術分野】
【０００１】
本発明は、プラズマディスプレイパネル（以後「ＰＤＰ」という）に関し、さらに詳しくは、放電空間を仕切る水平方向に延びる隔壁を有するＰＤＰに関する。
【背景技術】
【０００２】
ＰＤＰは、前面側の基板と背面側の基板との間に電極、隔壁、蛍光体層等を配置し、基板周辺を封着することで内部の放電空間に複数のセルを形成した構成となっている。そして、放電空間に放電用のガスを封入し、セル対応の電極間の放電による紫外光で蛍光体層を発光させてカラー表示を行うようにしている。
【０００３】
ＰＤＰの品質評価要素の一つに明るい場所でのコントラスト（明室コントラスト）があり、明室コントラスト向上は鮮明な画質を得る上で大きな課題となっている。
【０００４】
ＰＤＰでは、蛍光体層や隔壁は、自然光の下では一般に白色を呈しており、前面側の基板を通して目視できる状態にある。そのため、前面側の基板を通してパネル内に入射された、例えば照明光のような外光が、蛍光体層や隔壁で反射されて外部に放出され、このような外光の反射がコントラスト悪化の大きな要因となっていた。
【０００５】
これに対処するため、蛍光体層や隔壁による反射光の強度が高い領域に遮光体（金属電極）を設けたＰＤＰなどが知られている（特許文献１参照）。
【０００６】
【特許文献１】特開２００３−１００２２２号公報
【発明の開示】
【発明が解決しようとする課題】
【０００７】
ＰＤＰの隔壁の形状としては、画面の列方向のセル群を仕切る列方向の隔壁を配置したものや、セルごとに区画する列方向と行方向の隔壁を配置したものが知られている。ところで、ＰＤＰでは、通常、パネルを立てた状態で画面を横長にして目視するようにしている。このため、本明細書では、列方向の隔壁を、垂直方向に延びる隔壁、又は縦方向の隔壁（縦リブ）と呼び、行方向の隔壁を、水平方向に延びる隔壁、又は横方向の隔壁（横リブ）と呼ぶ。
【０００８】
ＰＤＰでは、横方向の隔壁を配置した場合、画面全体に占める隔壁面積の割合が、縦方向の隔壁を配置したものより大きくなり、このため、外光反射による明室コントラストの低下も大きくなる。したがって、横方向の隔壁を備えたＰＤＰにおける明室コントラストの向上が望まれていた。
【０００９】
本発明は、このような事情を考慮してなされたもので、画面を立てて目視した状態において、水平方向に延びる隔壁の下側に位置する壁面の傾斜よりも上側に位置する壁面の傾斜のほうを急勾配に形成することで、外光反射による明室コントラストの低下を抑制するものである。
【課題を解決するための手段】
【００１０】
本発明は、一方の基板と、画面を立てて目視した状態において水平方向に延伸する隔壁が設けられた他方の基板とが対向して配置され、基板周辺が封着されることによって基板間に放電空間が形成されたプラズマディスプレイパネルであって、前記隔壁は、その隔壁の延伸方向と直交する断面が、所定幅の頂部とその頂部よりも幅広の裾部を有する台形形状をなし、その台形形状の裾部から頂部に向けての壁面の傾斜が、画面を立てて目視した状態において下側に位置する壁面の傾斜よりも上側に位置する壁面の傾斜のほうが急勾配に形成されてなるプラズマディスプレイパネルである。
【発明の効果】
【００１１】
本発明によれば、パネルを立てた状態で画面を目視した場合、横方向の隔壁による外光反射が抑制されるので、明室コントラストの低下が抑制される。
【発明を実施するための最良の形態】
【００１２】
本発明において、前面側の基板と背面側の基板としては、ガラス、石英、セラミックス等の基板や、これらの基板上に、電極、絶縁膜、誘電体層、保護膜等の所望の構成要素を形成した基板が含まれる。
【００１３】
隔壁の下側に位置する壁面の傾斜の角度と上側に位置する壁面の傾斜の角度との差は、１０〜２０度であることが望ましい。この場合、隔壁の下側に位置する壁面はその傾斜の角度が５０〜６０度であり、上側に位置する壁面はその傾斜の角度が７０〜８０度であることが望ましい。
【００１４】
以下、図面に示す実施形態に基づいて本発明を詳述する。なお、本発明はこれによって限定されるものではなく、各種の変形が可能である。
【００１５】
図１（ａ）および図１（ｂ）は本発明のＰＤＰの一実施形態の構成を示す説明図である。図１（ａ）はＰＤＰの全体を示す斜視図であり、図１（ｂ）はＰＤＰの部分分解斜視図である。このＰＤＰはカラー表示用のＡＣ方式三電極面放電型のＰＤＰである。
【００１６】
ＰＤＰ１は、前面側の基板構体１０と背面側の基板構体２０とで構成されている。前面側の基板構体１０は、前面側の基板１１にＰＤＰとして機能するための構成要素が付加されたものである。背面側の基板構体２０は、背面側の基板２１にＰＤＰとして機能するための構成要素が付加されたものである。前面側の基板１１と背面側の基板２１としては、透光性のガラス基板を用いているが、ガラス基板以外に、石英基板、セラミックス基板等も使用することができる。
【００１７】
前面側の基板１１の内側面には、繰り返し放電（維持放電）を行う維持電極Ｘおよび走査電極Ｙが平行かつ交互に配置されている。維持電極Ｘと走査電極Ｙの間が表示ラインＬとなる。維持電極Ｘ及び走査電極Ｙは、ＩＴＯ、ＳｎＯ2などの幅の広い透明電極１２と、例えばＡｇ、Ａｕ、Ａｌ、Ｃｕ、Ｃｒ及びそれらの積層体（例えばＣｒ／Ｃｕ／Ｃｒの積層構造）等からなる金属製の幅の狭いバス電極（金属電極とも呼ばれる）１３から構成されている。
【００１８】
維持電極Ｘ及び走査電極Ｙの上には、維持電極Ｘ及び走査電極Ｙを覆うように低融点ガラス等からなる誘電体層１７が形成されている。誘電体層１７の上にはＭｇＯ（酸化マグネシウム）からなる保護膜１８が形成されている。すなわち、前面側の基板１１に配置された維持電極Ｘ及び走査電極Ｙは誘電体層１７で覆われており、さらにその表面を保護膜１８が覆っている。以上の構造物を前面側の基板構体１０としている。
【００１９】
なお、本ＰＤＰでは、維持電極Ｘと走査電極Ｙが交互に等間隔で配置され、隣接する維持電極Ｘと走査電極Ｙとの間が全て表示ラインＬとなる、いわゆるＡＬＩＳ構造のＰＤＰとなっているが、対となる維持電極Ｘ及び走査電極Ｙが放電の発生しない間隔（非放電ギャップ）を隔てて配置された構造のＰＤＰであっても、本発明を適用することができる。
【００２０】
背面側の基板２１の内側面には、平面的にみて維持電極Ｘ及び走査電極Ｙと交差する方向に複数のアドレス電極Ａが形成され、そのアドレス電極Ａの上には、アドレス電極Ａを覆うように誘電体層２４が形成されている。アドレス電極Ａは、走査電極Ｙとの交差部で発光セルを選択するためのアドレス放電を発生させるものであり、Ｃｒ／Ｃｕ／Ｃｒの３層構造で形成されている。このアドレス電極Ａは、その他に、例えばＡｇ、Ａｕ、Ａｌ、Ｃｕ、Ｃｒ等で形成することもできる。
【００２１】
誘電体層２４上には、放電空間をセルごとに区画する縦方向の隔壁と横方向の隔壁からなる格子状の隔壁２９が形成されている。縦方向の隔壁は、平面的に見て、アドレス電極Ａとアドレス電極Ａとの間に位置し、横方向の隔壁は透明電極１２の中央、つまりバス電極１３と重なるように位置している。この隔壁２９は、たとえばボックスリブやワッフルリブ、メッシュ状リブ、ラダー状リブなどと呼ばれるような閉鎖型の隔壁である。隔壁２９は、サンドブラスト法、フォトエッチング法等により形成することができる。例えば、サンドブラスト法では、ガラスフリット、バインダー樹脂、溶媒等からなるガラスペーストを誘電体層上に塗布して乾燥させた後、そのガラスペースト層上にリブ（隔壁）パターンの開口を有する切削マスクを設けた状態で切削粒子を吹きつけて、マスクの開口に露出したガラスペースト層を切削し、さらに焼成することにより形成する。また、フォトエッチング法では、切削粒子で切削することに代えて、バインダー樹脂に感光性の樹脂を使用し、マスクを用いた露光及び現像の後、焼成することにより形成する。
【００２２】
隔壁２９で区分けされた矩形領域（セル）の側面及び底面には、紫外線により励起されて赤（Ｒ）、緑（Ｇ）、青（Ｂ）の可視光をそれぞれ発生する蛍光体層２８Ｒ，２８Ｇ，２８Ｂが順番に繰り返し形成されている。以上の構造物を背面側の基板構体２０としている。
【００２３】
ＰＤＰ１の製造においては、上記した前面側の基板構体１０と背面側の基板構体２０とを、平面的に見て維持電極Ｘ及び走査電極Ｙと、アドレス電極Ａとが交差するように対向配置する。そして、基板周辺を封着し、隔壁２９で囲まれた放電空間３０にＮｅ（ネオン）とＸｅ（キセノン）とを含む放電ガスを封入することでＰＤＰ１が作製される。このＰＤＰでは、維持電極Ｘと走査電極Ｙとの間の表示ラインＬとアドレス電極Ａとの交差部の放電空間３０が、表示の最小単位である１つのセル（単位発光領域）となる。１画素はＲ、Ｇ、Ｂの３つのセルで構成される。
【００２４】
図２はＰＤＰを平面的に見た状態を示す説明図である。隔壁２９は、縦方向の隔壁２９ａと横方向の隔壁２９ｂからなる格子状の隔壁である。図２に示すように、縦方向の隔壁２９ａは、アドレス電極Ａとアドレス電極Ａとの間に位置し、横方向の隔壁２９ｂは透明電極１２の中央、つまりバス電極１３と重なるように位置している。
【００２５】
図３は図２のIII-III断面を示す説明図である。図では隔壁を見やすくするために、前面側の基板構体１０と背面側の基板構体２０を離して描いている。前述したように、背面側の基板構体２０には、縦方向の隔壁と横方向の隔壁２９ｂからなる格子状の隔壁が形成されている。横方向の隔壁２９ｂは、パネルを立てた状態において水平方向に延伸する隔壁である。
【００２６】
この横方向の隔壁２９ｂは、その隔壁の延伸方向と直交する断面が、一定幅の頂部Ｔとその頂部Ｔよりも幅広の裾部Ｂを有する台形形状をなし、その台形形状の裾部Ｂから頂部Ｔに向けての壁面の傾斜が、画面を立てて目視した状態において下側に位置する壁面Ｄの傾斜よりも上側に位置する壁面Ｕの傾斜のほうが急勾配に形成されている。
【００２７】
図４は本発明のＰＤＰの横方向の隔壁の勾配を示す説明図である。横方向の隔壁２９ｂの下側に位置する壁面Ｄは、その傾斜の勾配角Ｒ１が５０〜６０度であり、上側に位置する壁面Ｕは、その傾斜の勾配角Ｒ２が７０〜８０度である。横方向の隔壁２９ｂの下側に位置する壁面Ｄの傾斜の勾配角Ｒ１と上側に位置する壁面Ｕの傾斜の勾配角Ｒ２との差は、１０〜２０度の範囲である。
【００２８】
これにより、図３に示すように、パネルを立てた状態で画面を目視した場合、外部から入射される照明光Ｓは、画面の上方から入射される。このため、画面に入射される照明光Ｓの内、隔壁２９ｂの上側に位置する壁面Ｕに入射する光は、外部に反射されにくくなる。これにより、外光反射が抑制されるので、明室コントラストの低下を抑制することができる。
【００２９】
上述したような横方向の隔壁２９ｂは、サンドブラスト法や、転写法により形成することができる。サンドブラスト法で形成する場合には、切削粒子を斜め方向から吹きつけることで形成する。転写法で形成する場合には、上述した横方向の隔壁２９ｂと同じ形状の凸部を持つ母型を作製し、その母型から転写用の凹版を作製し、その転写用の凹版を用いて隔壁材料を基板に転写することにより形成する。
【図面の簡単な説明】
【００３０】
【図１】本発明のＰＤＰの一実施形態の構成を示す説明図である。
【図２】本発明のＰＤＰを平面的に見た状態を示す説明図である。
【図３】図２のIII-III断面を示す説明図である。
【図４】本発明のＰＤＰの横方向の隔壁の勾配を示す説明図である。
【符号の説明】
【００３１】
１  ＰＤＰ
１０  前面側の基板構体
１１  前面側の基板
１２  透明電極
１３  バス電極
１７，２４  誘電体層
１８  保護膜
２０  背面側の基板構体
２１  背面側の基板
２８Ｒ，２８Ｇ，２８Ｂ  蛍光体層
２９  隔壁
２９ａ  縦方向の隔壁
２９ｂ  横方向の隔壁
３０  放電空間
Ａ  アドレス電極
Ｘ  維持電極
Ｙ  走査電極
【図１】
2010027562.tif 000003
【図２】
2010027562.tif 000004
【図３】
2010027562.tif 000005
【図４】
2010027562.tif 000006